【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
石油を燃焼して冷媒を加熱する石油冷媒加熱機と、
室外空気と冷媒との熱交換を行う室外熱交換器と、
冷媒と室内空気との熱交換を行う室内熱交換器と、
冷媒を循環させる圧縮機と、
冷媒の循環路を前記室外熱交換器または石油冷媒加熱機のいずれかに切り替える弁と、
外気温を検出する外気温センサと、
この外気温センサからの外気温信号に応じて前記弁を切り替えることによって、ヒートポンプ運転と冷媒加熱運転とを切り替える運転制御手段とを具備し、
前記室外熱交換器と前記石油冷媒加熱機とが並列に接続され、前記弁が、前記石油冷媒加熱機の上流側を開閉する第１の開閉弁と、前記室外熱交換器の上流側を開閉する第２の開閉弁とから構成され、ヒートポンプ運転時には、前記弁にて冷媒の流路を前記室外熱交換器に切り替え、冷媒加熱運転時には、前記弁にて冷媒の流路を前記石油冷媒加熱機に切り替えるヒートポンプ運転から冷媒加熱運転に切り替える際は、前記第１および第２の開閉弁を閉じ、冷媒を室内機側に回収した後、前記第１の弁を開ける冷媒加熱運転からヒートポンプ運転に切り替える際は、前記石油冷媒加熱機の燃焼停止後、前記第１の開閉弁を閉じ、前記第２の開閉弁を開けることを特徴とする空気調和装置。
【請求項２】
前記室外熱交換器と前記石油冷媒加熱機とが並列または直列に切り替え可能に接続され、前記室外熱交換器に霜の付着を検出する着霜検出手段を備え、ヒートポンプ運転時に前記着霜検出器にて着霜を検出した場合、この着霜検出手段からの検出信号に応じて、前記室外熱交換器と前記石油冷媒加熱機とを直列接続として、除霜運転を行うことを特徴とする請求項１に記載の空気調和装置。
【請求項３】
ヒートポンプ運転から冷媒加熱運転に切り替える際は、前記石油冷媒加熱機から前記室外熱交換器に冷媒を流して、冷媒加熱運転を行った後、前記石油冷媒加熱機から直接圧縮機に冷媒を流し、冷媒加熱運転からヒートポンプ運転に切り替える際は、前記石油冷媒加熱機の燃焼停止後、冷媒の流れを前記石油冷媒加熱機から前記室外熱交換器に切り替えることを特徴とする請求項２に記載の空気調和装置。
【手続補正２】
【補正対象書類名】明細書
【補正対象項目名】００１０
【補正方法】変更
【補正の内容】
【００１０】
【課題を解決するための手段】
上述の課題を解決するため、本発明の請求項１に記載の空気調和装置は、石油を燃焼して冷媒を加熱する石油冷媒加熱機と、室外空気と冷媒との熱交換を行う室外熱交換器と、冷媒と室内空気との熱交換を行う室内熱交換器と、冷媒を循環させる圧縮機と、冷媒の循環路を前記室外熱交換器または石油冷媒加熱機のいずれかに切り替える弁と、外気温を検出する外気温センサと、この外気温センサからの外気温信号に応じて前記弁を切り替えることによって、ヒートポンプ運転と冷媒加熱運転とを切り替える運転制御手段とを具備し、前記室外熱交換器と前記石油冷媒加熱機とが並列に接続され、前記弁が、前記石油冷媒加熱機の上流側を開閉する第１の開閉弁と、前記室外熱交換器の上流側を開閉する第２の開閉弁とから構成され、ヒートポンプ運転時には、前記弁にて冷媒の流路を前記室外熱交換器に切り替え、冷媒加熱運転時には、前記弁にて冷媒の流路を前記石油冷媒加熱機に切り替えるヒートポンプ運転から冷媒加熱運転に切り替える際は、前記第１および第２の開閉弁を閉じ、冷媒を室内機側に回収した後、前記第１の弁を開ける冷媒加熱運転からヒートポンプ運転に切り替える際は、前記石油冷媒加熱機の燃焼停止後、前記第１の開閉弁を閉じ、前記第２の開閉弁を開けることを特徴とする。
【手続補正３】
【補正対象書類名】明細書
【補正対象項目名】００１１
【補正方法】変更
【補正の内容】
【００１１】
以上の構成によって、外気温センサからの外気温信号に応じて、ヒートポンプ運転と冷媒加熱運転とを切り替えるので、低外気温時の高暖房能力の実現および暖房時のランニングコストを低減することができると共に、運転時に応じて冷媒の流路を切り替えるので、装置の配管を簡素化できる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、石油冷媒加熱機の上流側に設けられた第１の開閉弁と室外熱交換器の上流側に設けられた第２の開閉弁とによって、冷媒を室内機側に回収した後、又は、石油冷媒加熱機の燃焼停止後に、ヒートポンプ運転から冷媒加熱運転に切り替えるので、簡素な配管で冷媒を確保して運転切り替えできる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
本発明の請求項２に記載の空気調和装置は、前記室外熱交換器と前記石油冷媒加熱機とが並列または直列に切り替え可能に接続され、前記室外熱交換器に霜の付着を検出する着霜検出手段を備え、ヒートポンプ運転時に前記着霜検出器にて着霜を検出した場合、この着霜検出手段からの検出信号に応じて、前記室外熱交換器と前記石油冷媒加熱機とを直列接続として、除霜運転を行うことを特徴とする。
【手続補正１７】
【補正対象書類名】明細書
【補正対象項目名】００２５
【補正方法】変更
【補正の内容】
【００２５】
以上の構成によって、霜を検出した際、除霜運転制御するので、室外熱交換器の着霜を解消できる。また、ヒートポンプ運転時に着霜を検出した場合でも、室外熱交換器と石油冷媒加熱機とを直列接続として、除霜運転を行うので、室外熱交換器に着霜したときでも、連続暖房運転を維持できる。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
本発明の請求項３に記載の空気調和装置は、ヒートポンプ運転から冷媒加熱運転に切り替える際は、前記石油冷媒加熱機から前記室外熱交換器に冷媒を流して、冷媒加熱運転を行った後、前記石油冷媒加熱機から直接圧縮機に冷媒を流し、冷媒加熱運転からヒートポンプ運転に切り替える際は、前記石油冷媒加熱機の燃焼停止後、冷媒の流れを前記石油冷媒加熱機から前記室外熱交換器に切り替えることを特徴とする。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】変更
【補正の内容】
【００３１】
また、石油冷媒加熱機の燃焼停止後、冷媒の流れを石油冷媒加熱機から室外熱交換器に切り替えることによって冷媒加熱運転からヒートポンプ運転に切り替えるので、スムーズな運転切り替えが可能となる。
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００７０
【補正方法】変更
【補正の内容】
【００７０】
【発明の効果】
以上説明した通り、本発明の請求項１に記載の空気調和装置は、外気温センサからの外気温信号に応じて、ヒートポンプ運転と冷媒加熱運転とを切り替えるので、低外気温時の高暖房能力の実現および暖房時のランニングコストを低減し、かつ快適性を向上できると共に、運転時に応じて冷媒の流路を切り替えるので、装置の配管を簡素化でき、運転制御の安定性を向上する。
【手続補正３０】
【補正対象書類名】明細書
【補正対象項目名】００７１
【補正方法】削除
【補正の内容】
【手続補正３１】
【補正対象書類名】明細書
【補正対象項目名】００７２
【補正方法】削除
【補正の内容】
【手続補正３２】
【補正対象書類名】明細書
【補正対象項目名】００７３
【補正方法】変更
【補正の内容】
【００７３】
また、石油冷媒加熱機の上流側に設けられた第１の開閉弁と室外熱交換器の上流側に設けられた第２の開閉弁とによって、冷媒を室内機側に回収した後、又は石油加熱機の燃焼停止後にヒートポンプ運転から冷媒加熱運転に切り替えるので、簡素な配管で冷媒を確保して運転切り替えでき、冷凍サイクルの安定性を向上できる。
【手続補正３３】
【補正対象書類名】明細書
【補正対象項目名】００７４
【補正方法】削除
【補正の内容】
【手続補正３４】
【補正対象書類名】明細書
【補正対象項目名】００７５
【補正方法】削除
【補正の内容】
【手続補正３５】
【補正対象書類名】明細書
【補正対象項目名】００７６
【補正方法】削除
【補正の内容】
【手続補正３６】
【補正対象書類名】明細書
【補正対象項目名】００７７
【補正方法】変更
【補正の内容】
【００７７】
本発明の請求項２に記載の空気調和装置は、着霜を検出した際、除霜運転を行うので、室外熱交換器の着霜を解消でき、安定したヒートポンプ運転を行うことができる。また、ヒートポンプ運転時に着霜を検出した場合でも、室外熱交換器と石油冷媒加熱機とを直列接続として、除霜運転を行うので、室外熱交換器に着霜したときでも、連続暖房運転によって、暖房快適性を維持しながら除霜できる。
【手続補正３７】
【補正対象書類名】明細書
【補正対象項目名】００７８
【補正方法】削除
【補正の内容】
【手続補正３８】
【補正対象書類名】明細書
【補正対象項目名】００７９
【補正方法】変更
【補正の内容】
【００７９】
本発明の請求項３に記載の空気調和装置は、石油冷媒加熱機から室外熱交換器に冷媒を流して冷媒加熱運転を行った後、石油冷媒加熱機から直接圧縮機に冷媒を流すことによってヒートポンプ運転から冷媒加熱運転に切り替えるので、冷媒回収をせずに運転の切り替えができ、暖房快適性を向上する。また、石油冷媒加熱機の燃焼停止後に、冷媒の流れを石油冷媒加熱機から室外機に切り替えることによって冷媒加熱運転からヒートポンプ運転に切り替えるので、スムーズな運転切り替えが可能となり、冷凍サイクルの安定性を向上できる。
【手続補正３９】
【補正対象書類名】明細書
【補正対象項目名】００８０
【補正方法】削除
【補正の内容】
【手続補正４０】
【補正対象書類名】明細書
【補正対象項目名】００８１
【補正方法】削除
【補正の内容】
【手続補正４１】
【補正対象書類名】明細書
【補正対象項目名】００８２
【補正方法】削除
【補正の内容】
【手続補正４２】
【補正対象書類名】明細書
【補正対象項目名】００８３
【補正方法】削除
【補正の内容】